(57)【要約】      （修正有）【課題】洗濯機の設置場所に拘わらずその設置高さを調整することができる洗濯機支持用ゴムを提供する。【解決手段】土台部材１２と１つまたは複数の棚上げ部材１４とを組み合わせることによって形成され、洗濯機の各脚の下部に配置される。土台部材１２の上端部には、第１窪み部１８が形成される。棚上げ部材１４の上端部には、第２窪み部２４が形成され、棚上げ部材１４の下端部には、下方に突出する突出部２６が形成される。突出部２６を土台部材１２の第１窪み部１８に嵌め込むことによって、土台部材１２と棚上げ部材１４とが縦方向に組み合わせられ、棚上げ部材１４の第２窪み部２４に他の棚上げ部材１４の突出部２６を嵌め込むことによって、複数の棚上げ部材１４が縦方向に組み合わせられる。【選択図】図４
0003152638.tif 000002
【実用新案登録請求の範囲】
【請求項１】
洗濯機の各脚の下部に配置され、土台部材と少なくとも１つの棚上げ部材とによって形成される洗濯機支持用ゴムであって、
前記土台部材の上端部に形成される第１窪み部、
前記棚上げ部材の下端部に形成され、前記第１窪み部と嵌合可能な形状に形成される突出部、および
前記棚上げ部材の上端部に形成され、他の前記棚上げ部材の前記突出部と嵌合可能な形状に形成される第２窪み部を備える、洗濯機支持用ゴム。
【考案の詳細な説明】
【技術分野】
【０００１】
この考案は、洗濯機支持用ゴムに関し、特にたとえば、洗濯機の各脚の下部に配置され、土台部材と少なくとも１つの棚上げ部材とによって形成される、洗濯機支持用ゴムに関する。
【背景技術】
【０００２】
従来の洗濯機支持用ゴムの一例が、非特許文献１に開示されている。この非特許文献１の技術では、室内洗濯パンに洗濯機支持用ゴム（商品名：イージースタンド）を配置し、その洗濯機支持用ゴムの上に洗濯機を載置することによって、洗濯機の振動が防止される。また、この洗濯機支持用ゴムによって、洗濯機の設置位置が高くされるため、洗濯機の下方空間に排水ホースを収納することができるとともに、その下方空間を容易に清掃することができる。
【先行技術文献】
【非特許文献】
【０００３】
【非特許文献１】http://www.technotech.co.jp/PRODUCTS_01.html
【考案の概要】
【考案が解決しようとする課題】
【０００４】
しかしながら、非特許文献１の技術は、洗濯機を室内洗濯パンに載置する場合にしか用いることができず、さらに、洗濯機を設置する位置、向き、および高さを適宜調整することができない。たとえば、洗濯機をベランダなどの屋外に設置する場合には、洗濯機の大きさ、排水ホースの長さ、排水口の位置などの設置環境に応じて、洗濯機を設置する位置、向き、および高さを適宜調整する必要があるが、非特許文献１の洗濯機支持用ゴムによってこれに対応するのはきわめて困難である。
【０００５】
それゆえに、この考案の主たる目的は、新規な、洗濯機支持用ゴムを提供することである。
【０００６】
この考案の他の目的は、洗濯機の設置場所に拘わらずその設置高さを調整することができる、洗濯機支持用ゴムを提供することである。
【課題を解決するための手段】
【０００７】
本考案は、上記の課題を解決するために、以下の構成を採用した。なお、括弧内の参照符号および補足説明などは、本考案の理解を助けるために後述する実施の形態との対応関係を示したものであって、本考案を何ら限定するものではない。
【０００８】
この考案は、洗濯機の各脚の下部に配置され、土台部材と少なくとも１つの棚上げ部材とによって形成される洗濯機支持用ゴムであって、土台部材の上端部に形成される第１窪み部、棚上げ部材の下端部に形成され、第１窪み部と嵌合可能な形状に形成される突出部、および棚上げ部材の上端部に形成され、他の棚上げ部材の突出部と嵌合可能な形状に形成される第２窪み部を備える、洗濯機支持用ゴムである。
【０００９】
この考案では、洗濯機支持用ゴム（１０）は、土台部材（１２）と１つまたは複数の棚上げ部材（１４）とを組み合わせることによって形成され、洗濯機（１００）の各脚（１０２）の下部に配置されて、洗濯機の振動を防止するとともに、洗濯機の音を低減させる。土台部材の上端部には、第１窪み部（１８）が形成される。また、棚上げ部材の上端部には、第２窪み部（２４）が形成される。そして、棚上げ部材の下端部には、下方に突出する突出部（２６）が形成され、この突出部を土台部材の第１窪み部に嵌め込むことによって、土台部材と棚上げ部材とが縦方向に組み合わせられる。また、棚上げ部材の第２窪み部に他の棚上げ部材の突出部を嵌め込むことによって、棚上げ部材と他の棚上げ部材とが縦方向に組み合わせられる。
【考案の効果】
【００１０】
この考案によれば、洗濯機の各脚の下部に配置される洗濯機支持用ゴムの高さを調整することができるため、洗濯機の設置場所に拘わらずその設置高さを調整することができる。
【００１１】
この考案の上述の目的，その他の目的，特徴および利点は、図面を参照して行う以下の実施例の詳細な説明から一層明らかとなろう。
【図面の簡単な説明】
【００１２】
【図１】この考案の一実施例の洗濯機支持用ゴムを洗濯機の脚の下部に設けた様子を示す図解図である。
【図２】（Ａ）は図１の土台部材を示す側面図であり、（Ｂ）は図１の土台部材を示す上面図であり、（Ｃ）は図１の土台部材を示す下面図である。
【図３】（Ａ）は図１の棚上げ部材を示す側面図であり、（Ｂ）は図１の棚上げ部材を示す上面図であり、（Ｃ）は図１の棚上げ部材を示す下面図である。
【図４】土台部材に棚上げ部材を組み合わせる様子を説明するための図解図である。
【図５】土台部材に棚上げ部材を組み合わせた状態を示す図解図である。
【図６】図５の棚上げ部材にさらに他の棚上げ部材を組み合わせた状態を示す図解図である。
【考案を実施するための形態】
【００１３】
図１を参照して、この考案の一実施例である洗濯機支持用ゴム１０は、洗濯機１００の振動を防止するとともに、洗濯機１００の音を低減させるためのものであり、土台部材１２と棚上げ部材１４とを縦（上下）方向に組み合わせることによって形成される。この洗濯機支持用ゴム１０は、図１に示すように、洗濯機１００の脚１０２の下部であり、洗濯機１００の脚１０２と床面ないし地面との間に配置されて、洗濯機１００を支持する。
【００１４】
土台部材１２は、使用済みの廃タイヤを溶かした再生ゴムによって形成され、たとえば、ＳＢＲ（スチレンブタジエンゴム）やＮＲ（天然ゴム）等のゴムからなる。図２（Ａ）、（Ｂ）、および（Ｃ）に示すように、この土台部材１２の本体１６は、略直方体に形成される。図２（Ｂ）に示すように、本体１６は、上面視が略正方形状であり、たとえば、１辺の長さ１２０ｍｍ程度に設定される。また、図２（Ａ）に示すように、本体１６は、その上下方向の長さ（高さ）が４５ｍｍ程度に設定される。
【００１５】
図２（Ａ）および（Ｂ）に示すように、土台部材１２（本体１６）の上端部には、第１窪み部１８が形成される。第１窪み部１８は、詳細は後述する、棚上げ部材１４の突出部２６に相当する大きさ（形状）を有する窪みである。図２（Ｂ）に示すように、第１窪み部１８は、上面視が略正方形状であり、たとえば、１辺の長さが１００ｍｍ程度に設定される。また、図２（Ａ）に示すように、第１窪み部１８は、その上下方向の長さ（深さ）が５ｍｍ程度に設定される。
【００１６】
また、図２（Ａ）および（Ｃ）に示すように、土台部材１２（本体１６）の下端部には、複数の肉盗み部２０が形成されており、この肉盗み部２０によって土台部材１２の軽量化が図られる。この実施例では、略直方体状に形成される肉盗み部２０が規則的に配置されるが、その形状および配置位置はこれに限定されるものではない。
【００１７】
棚上げ部材１４は、土台部材１２と同様の再生ゴムによって形成され、土台部材１２の上部に配置される。図３（Ａ）、（Ｂ）、および（Ｃ）に示すように、この棚上げ部材１４の本体２２は、上方に向けて拡開する略逆台形状に形成される。図３（Ｂ）および（Ｃ）に示すように、本体２２は、上面視ならびに下面視が略正方形状であり、たとえば、上面の１辺の長さが１１４ｍｍ程度に設定され、下面の１辺の長さが９９．５ｍｍ程度に設定される。また、図３（Ａ）に示すように、本体２２は、その上下方向の長さ（高さ）が３０ｍｍ程度に設定される。
【００１８】
図３（Ａ）および（Ｂ）に示すように、棚上げ部材１４（本体２２）の上端部には、第２窪み部２４が形成される。第２窪み部２４は、土台部材１２の第１窪み部１８と略等しい大きさ（形状）を有する窪みである。図３（Ｂ）に示すように、第２窪み部２４は、上面視で略正方形状であり、たとえば、１辺の長さが１００ｍｍ程度に設定される。また、図３（Ａ）に示すように、第２窪み部２４は、その上下方向の長さ（深さ）が５ｍｍ程度に設定される。
【００１９】
図３（Ａ）および（Ｃ）に示すように、棚上げ部材１４（本体２２）の下端部には、突出部２６が形成される。突出部２６は、上述したように、土台部材１２の第１窪み部１８、ならびに棚上げ部材１４自身の第２窪み部２４に相当する大きさ（形状）を有する略直方体状に形成され、その上下方向の長さ（高さ）が５ｍｍ程度に設定される。
【００２０】
また、図３（Ｃ）に示すように、棚上げ部材１４（本体２２）の下端部には、複数の肉盗み部２８が形成されており、この肉盗み部２８によって棚上げ部材１４の軽量化が図られる。この実施例では、土台部材１２の肉盗み部２８と同様に、略直方体状に形成される肉盗み部２８が規則的に配置されるが、その形状および配置位置はこれに限定されるものではない。
【００２１】
たとえば、このような洗濯機支持用ゴム１０によって、洗濯機１００を支持する場合には、先ず、洗濯機１００の脚１０２のそれぞれに対応する位置に土台部材１２を配置し、その上に棚上げ部材１４を重ねる。具体的には、図４に示すように、土台部材１２の第１窪み部１８の位置と棚上げ部材１４の突出部２６の位置とが合わせられて、棚上げ部材１４の突出部２６が土台部材１２の第１窪み部１８に嵌め込まれる。すると、図５に示すように、土台部材１２と棚上げ部材１４とが縦（上下）方向に組み合わせられ、図示は省略するが、この棚上げ部材１４の上部（第２窪み部２４）に洗濯機１００の脚１０２を載置することができる。
【００２２】
さらに、図６に示すように、複数の棚上げ部材１４を重ねる場合には、図４に示す場合と同様に、土台部材１２と組み合わされている棚上げ部材１４の第２窪み部２４の位置と他の棚上げ部材１４の突出部２６の位置とが合わせられて、土台部材１２と組み合わされている棚上げ部材１４の第２窪み部２４に他の棚上げ部材１４の突出部２６が嵌め込まれる。
【００２３】
このように、この実施例では、洗濯機１００の各脚１０２の下部に洗濯機支持用ゴム１０が設けられる。このため、洗濯機１００の大きさ、排水ホースの長さ、排水口の位置などの設置環境に適宜対応することができる。また、１つまたは複数の棚上げ部材１４を組み合わせることができるので、洗濯機支持用ゴム１０の高さを適宜調整することができる。したがって、この実施例によれば、洗濯機１００の設置場所に拘わらずその設置高さを調整することができる。
【００２４】
さらに、この実施例では、土台部材１２と棚上げ部材１４とが、ならびに棚上げ部材１４と他の棚上げ部材１４とが、窪み部１８，２４と突出部２６との嵌合構造によって、縦方向に組み合わさ（重ねら）れる。このため、洗濯機支持用ゴム１０の高さを調整しても、その安定を保つことができる。
【００２５】
なお、図１では、１つの土台部材１２と２つの棚上げ部材１４とを組み合わせることによって洗濯機支持用ゴム１０を形成しているが、これに限定される必要はなく、洗濯機１００の設置高さに応じて、土台部材１２と１つまたは複数の棚上げ部材１４とを縦方向に組み合わせて、洗濯機支持用ゴム１０を形成することができる。ただし、土台部材１２と１つまたは２つの棚上げ部材１４とを組み合わせて洗濯機支持用ゴム１０を形成すると、洗濯機支持用ゴム１０の安定を確実に保つことができるため、より好適である。
【００２６】
また、図示は省略するが、土台部材１２を用いずに、１つまたは複数の棚上げ部材１４のみを縦方向に組み合わせることによって、洗濯機支持用ゴム１０を形成してもよい。
【００２７】
さらに、上述の実施例では、棚上げ部材１４の突出部２６が、土台部材１２の第１窪み部１８、ならびに棚上げ部材１４の第２窪み部２４に相当する大きさ（形状）を有する略直方体状に形成されたが、これに限定される必要はなく、棚上げ部材１４の突出部２６と土台部材１２の第１窪み部１８とが嵌合可能な形状に形成されるとともに、棚上げ部材１４の突出部２と他の棚上げ部材１４の第２窪み部２４とが嵌合可能な形状に形成されるのであれば、土台部材１２の第１窪み部１８、棚上げ部材１４の突出部２６、ならびに棚上げ部材１４自身の第２窪み部２４の形状は特に問わない。
【００２８】
なお、上述した径や高さ等の具体的数値は、いずれも単なる一例であり、必要に応じて適宜変更可能である。
【符号の説明】
【００２９】
１０  …洗濯機支持用ゴム
１２  …土台部材
１４  …棚上げ部材
１８  …第１窪み部
２４  …第２窪み部
２６  …突出部
１００  …洗濯機
１０２  …脚
【図１】
0003152638.tif 000003
【図２】
0003152638.tif 000004
【図３】
0003152638.tif 000005
【図４】
0003152638.tif 000006
【図５】
0003152638.tif 000007
【図６】
0003152638.tif 000008